(57)【特許請求の範囲】
【請求項１】
少なくとも情報処理装置を収納可能なものであって、可撓性を有する素材から構成され厚み方向に折り畳み可能なケース本体と、選択的にケース本体に厚み方向の保形性を付与する保形ベースと、選択的にケース本体の側壁と重合してケース本体に厚み方向の保形性を付与する補助保形部と、前記情報処理装置の厚み寸法或いは巾寸法に合わせて仕切位置を変更し得る収納用仕切とを具備してなり、
前記ケース本体が、前記情報処理装置の上下面と略平行に位置する一対の面状被覆部と、前記両面状被覆部間を連結して少なくともケース本体の底壁及び側壁を形成する厚み方向に延びる可撓変形可能な周壁部とを具備し、
前記保形ベース及び前記補助保形部により厚み方向の保形性を付与されて内部に収納空間を形成する使用状態と、周壁部の可撓変形性を利用して厚み方向に圧縮した折畳状態とを取り得るものであるとともに、
前記補助保形部が、前記側壁と重合して位置する使用位置と、前記面状被覆部の内側に重合して位置し前記ケース本体を厚み方向に折り畳むことを可能にする退避位置とをとるものであり、一対の表装シート材間にクッション材を配置していることを特徴とする情報処理装置用収納ケース。
【請求項２】
前記保形ベースが、使用状態でケース本体の底壁に重合するものであることを特徴とする請求項１記載の情報処理装置用収納ケース。
【請求項３】
前記収納用仕切が、可撓変形可能な変形領域を利用して、保形ベースに対して垂直に起立した起立位置を取り得るとともに前記保形ベースに対する起立位置を変更し得ることを特徴とする請求項１又は２記載の情報処理装置用収納ケース。
【請求項４】
保形ベースが、情報処理装置を保護する硬質シート材と、この硬質シート材よりも情報処理装置側に設けたクッション材とを具備していることを特徴とする請求項１、２又は３記載の情報処理装置用収納ケース。
【請求項５】
収納用仕切が、情報処理装置を保護する硬質シート材と、少なくとも前記硬質シート材よりも情報処理装置側に設けたクッション材とを具備していることを特徴とする請求項１、２、３又は４記載の情報処理装置用収納ケース。
【請求項６】
面状被覆部が、情報処理装置を保護する硬質シート材と、この硬質シート材よりも情報処理装置側に設けたクッション材とを具備していることを特徴とする請求項１、２、３、４又は５記載の情報処理装置用収納ケース。
【発明の詳細な説明】
【０００１】
【発明の属する技術分野】
本発明は、オフィス等において好適に利用される情報処理装置用収納ケースに関するものである。
【０００２】
【従来の技術】
近時の急速なＯＡ化の進展に伴って、オフィス等では、各自が一台、パソコン等の情報処理装置を占有する時代になっている。特に、昨今の目覚ましい技術進歩は、情報処理装置の著しい性能向上と飛躍的なコンパクト化をもたらし、現下ではマルチメディア対応機能を始めとする各種の充実した機能がデスクトップ型と同様にノートブック型の情報処理装置においても普通に利用できる状況になっている。
【０００３】
一方、昨今のオフィスの形態として、スモールオフィス制やホームオフィス制を導入する企業等が増えている。そして、例えばスモールオフィスでは、各自が自席を限定しないノンテリトリアルオフィス制を採用する場合が多く、各自が使用する情報処理装置等の物品を机上に常設しておくことができない。この点はホームオフィスにおいても同様の事情がある。また、センターオフィスでも、例えば外回りが多い営業職等の職種の場合には、自席を限定せず、必要に応じて共用の机上で各自の情報処理装置を使って作業する場合がある。この場合にも、作業をしない際には、情報処理装置を適当な場所に退避させ机を他の使用者のために開放しておく必要がある。このように、一定箇所に情報処理装置を常設することができない状況下においては、移動が格段に容易である点でデスクトップ型よりも遥かに使い勝手が良いノートブック型が利用される。
【０００４】
しかしながら、ノートブック型の情報処理装置を移動させる場合、これに付帯するＡＣアダプタ、マウス、テンキー等の周辺付属品のほか、マニュアルや筆記具、各種ステーショナリー等の備品も個々に移動せねばならず、移動作業が煩雑であるだけでなく、備品等を紛失してしまう恐れもあった。
【０００５】
そのため、近年、オフィスでは、情報処理装置と周辺付属品や備品等を共にひとまとめにして一体的に移動させ、保管庫等の収納家具にファイルボックス的に収納して保管することができる情報処理装置用収納ケースを使用している場合がある。従来の情報処理装置用収納ケースとしては、ポリプロピレン等の比較的強度のある樹脂素材により作られた筐型のハードケースタイプのものがある。
【０００６】
【発明が解決しようとする課題】
ところが、このものは、ハードケースタイプであるため、生産工程、流通時からユーザーの使用時までケース本体の外寸法は常に一定で変化しない。
【０００７】
そのため、特に流通時等に収容スペースを多く取り、流通コストがかさむ等の問題や、不使用時にも所定の収容スペースが必要となりオフィス内に無駄なスペースが生じる等の問題がある。
【０００８】
また、移動の際に、周辺付属品や備品等が接触して情報処理装置を傷つけたり、これらが収納空間内に散乱することを防止するために、従来は、情報処理装置と周辺付属品等を収納する空間を仕切る固定式の収納用仕切をケース本体内に設けたり、情報処理装置をインナーケース等に収納するようにしている。
【０００９】
しかしながら、情報処理装置の形状や大きさは機種によってまちまちであるため、固定式の収納用仕切であると、情報処理装置のための収納空間の大きさが予め決まってしまい、機種によっては、収納空間内に無駄なスペースが生じたり、情報処理装置の収まりが悪く、移動時にがたつきを生じる恐れもあった。
【００１０】
さらに、情報処理装置を収納ケースに入れて頻繁に移動させる場合、衝撃等から情報処理装置を保護する必要性が生じるが、従来のハードケースタイプのものは、緩衝性を有しないため、別途、緩衝性を有する素材から形成したり、内面に緩衝材等を設ける等したインナーケース内に情報処理装置を収納する等していた。
【００１１】
【課題を解決するための手段】
本発明は、上述した不具合を解消するために、ケース本体を可撓性を有する素材から構成して厚み方向に折り畳み可能なものとした上で、選択的にケース本体に厚み方向の保形性を付与する保形ベース及び補助補形部を設けることにより、状況に応じて使用状態と折畳状態とを取り得るものとしている。さらに、情報処理装置の厚み寸法或いは巾寸法に合わせて仕切位置を変更し得る収納用仕切を設け、ケース本体内に各情報処理装置の大きさに合った情報処理装置用の収納空間を形成するようにしている。
【００１２】
【発明の実施の形態】
すなわち、本発明は、少なくとも情報処理装置を収納可能なものであって、可撓性を有する素材から構成され厚み方向に折り畳み可能なケース本体と、選択的にケース本体に厚み方向の保形性を付与する保形ベースと、選択的にケース本体の側壁と重合してケース本体に厚み方向の保形性を付与する補助保形部と、前記情報処理装置の厚み寸法或いは巾寸法に合わせて仕切位置を変更し得る収納用仕切とを具備してなり、前記ケース本体が、前記情報処理装置の上下面と略平行に位置する一対の面状被覆部と、前記両面状被覆部間を連結して少なくともケース本体の底壁及び側壁を形成する厚み方向に延びる可撓変形可能な周壁部とを具備し、前記保形ベース及び前記補助保形部により厚み方向の保形性を付与されて内部に収納空間を形成する使用状態と、周壁部の可撓変形性を利用して厚み方向に圧縮した折畳状態とを取り得るものであるとともに、前記補助保形部が、前記側壁と重合して位置する使用位置と、前記面状被覆部の内側に重合して位置し前記ケース本体を厚み方向に折り畳むことを可能にする退避位置とをとるものであり、一対の表装シート材間にクッション材を配置していることを特徴とする情報処理装置用収納ケースである。
【００１３】
このような構成のものであると、使用時には、保形ベース及び補助保形部を利用して、ケース本体に厚み方向の保形性を付与すれば、情報処理装置を周辺付属品等と共に収納することができる収納空間が形成され、情報処理装置を周辺付属品等と共にひとまとめにして一体的に移動させ、保管庫等の収納家具にファイルボックス的に収納して保管することができる。一方、不使用時や、生産過程、流通時等には、周壁部の可撓変形性を利用して、ケース本体を厚み方向に圧縮して折り畳めば、収納ケースの収容スペースを削減し、生産、流通コストの削減や、オフィス内での無駄な収容スペースの削減を図ることができる。
【００１４】
また、仕切位置を変更することができる収納用仕切を形成しているので、情報処理装置の厚み寸法或いは巾寸法に合わせて仕切位置を変更すれば、各情報処理装置の大きさに対応することができる。したがって、収納空間を効率よく利用することができる上、情報処理装置の収まりを良好にして、携帯時における安定性を向上させることができる。また、この収納ケースは、可撓性を有する素材により構成されているいわゆるソフトケースであるため、従来のハードケースのものに比べて、移動時の衝撃等からも情報処理装置を好適に保護することができる。
【００１５】
また、選択的にケース本体の側壁と重合してケース本体に厚み方向の保形性を付与する補助保形部を具備し、この補助保形部が、前記側壁と重合して位置する使用位置と、前記面状被覆部の内側に重合して位置し前記ケース本体を厚み方向に折り畳むことを可能にする退避位置とをとるものであるので、使用時の収納ケースの使い勝手を良好なものとすることができる。この場合には、補助保形部が、クッション材を備えていることが望ましい。
【００１６】
具体的な実施の形態としては、前記保形ベースが、使用状態でケース本体の底壁に重合するものを挙げることができる。
【００１７】
さらに、収納用仕切の好適な実施の形態としては、収納用仕切が、可撓変形可能な変形領域を形成したものであり、前記変形領域の可撓変形性を利用して、保形ベースに対して垂直に起立した起立位置を取り得るとともに前記保形ベースに対する起立位置を変更し得るものを挙げることができる。
【００１８】
保形ベースを、保形性を有する構成にし得ることは勿論、情報処理装置を外部の衝撃等から好適に保護し得るような構成のものとするには、保形ベースが、情報処理装置を保護する硬質シート材と、この硬質シート材よりも情報処理装置側に設けたクッション材とを具備していることが望ましい。
【００１９】
移動時等に、収納空間内に収納した周辺付属品や備品等が動いて収納用仕切にぶつかった場合等に生じる衝撃から情報処理装置を保護するには、収納用仕切が、情報処理装置を保護する硬質シート材と、少なくとも前記硬質シート材よりも情報処理装置側に設けたクッション材とを具備していることが望ましい。
【００２０】
さらに、情報処理装置を外部の衝撃等から好適に保護し得るものとするには、面状被覆部が、情報処理装置を保護する硬質シート材と、この硬質シート材よりも情報処理装置側に設けたクッション材とを具備していることが望ましい。
【００２１】
【実施例】
以下、本発明の一実施例について図面を参照して説明する。
【００２２】
本実施例の情報処理装置用収納ケース（以下、収納ケースと略す）Ａは、図１に示すように、ノートブック型タイプのパソコン等の情報処理装置Ｂを収納する場合に適用されるものである。情報処理装置Ｂは、装置本体の反使用端側に液晶のディスプレイ配置部を蓋を兼ねて開閉可能に取付けている周知のノートブック型タイプのものである。なお、本実施例の収納ケースＡは、Ａ４サイズのノートブック型の情報処理装置Ｂを収納できるような大きさのものである。
【００２３】
収納ケースＡは、図１及び図２に示すように、可撓性を有する布等の素材から構成され、厚み方向に折り畳み可能なケース本体１と、選択的にケース本体１に厚み方向の保形性を付与する保形ベース２とを具備してなる。そして、前記ケース本体１が、前記保形ベース２を利用してケース本体１に厚み方向の保形性を付与し、内部に情報処理装置Ｂや、ＡＣアダプタ、マウス、テンキー等の周辺付属品Ｄや、マニュアル、筆記具、各種ステーショナリー等の備品Ｅ等を収納可能な収納空間Ｓを形成し得る図１及び図２に示す使用状態Ｐと、前記保形ベース２を取り外しケース本体１を厚み方向に折り畳んだ図３に示す折畳状態Ｑとを取り得るものであるとともに、前記保形ベース２が、使用状態Ｐでケース本体１の底壁に重合するものであり、前記情報処理装置Ｂの厚み寸法に合わせて仕切位置を任意に変更し得る収納用仕切３を一体的に有している。
【００２４】
以下、各部の具体的構成について詳述する。
【００２５】
ケース本体１は、図１、図２及び図４に示すように、使用状態Ｐにおいて上方に開口する直方体形状の箱型のものであり、具体的には、情報処理装置Ｂの装置本体の上下面と略平行に位置する一対の面状被覆部４と、これら面状被覆部４のうち使用状態Ｐにおいて起立辺となる両短辺間を結ぶ側壁たる第１の周壁部５並びに水平辺となる一方の長辺間を結ぶ底壁たる第２の周壁部６と、前記第１の周壁部５に選択的に保形性を付与する補助保形部７とを具備し、前記面状被覆部４の上方の長辺間に形成される開口部８を通して情報処理装置Ｂ、周辺付属品Ｄ、備品Ｅ等を出し入れし得るように構成されている。そして、前記両面状被覆部４の外面には、それぞれ同一形状の把手９が開口部８側に向けてループ状に取付けてある。なお、図４、図５、図７、図９、図１１は、この把手９を省略した図となっている。
【００２６】
面状被覆部４は、図５に示すように、可撓変形可能な布製の一対の表装シート材ｘ間に、硬質樹脂製の硬質シート材ｙと、緩衝性を有するクッション材ｚを配置しており、その位置関係を、クッション材ｚが硬質シート材ｙに対して内側となるようにしている。
【００２７】
第１、第２の周壁部５、６は、可撓変形可能な布製の素材等により形成された連続したものであり、本実施例では、前記面状被覆部４を構成する表装シート材ｘと同じものを使用している。
【００２８】
補助保形部７は、図４に示すように、ケース本体１の使用状態Ｐで前記第１の周壁部５の内側に重合して位置するように設けてある左右に対をなすものである。これら補助保形部７は、前記第１の周壁部５の内面の略全域に重合し得るような側面視略矩形状をなすもので、一方の補助保形部７が一端７ａ側を、他方の補助保形部７が他端７ｂ側を第１の周壁部５と面状被覆部４の起立辺側とともに一体的に縫い込んである。そして、図７中実線で示すように、前記第１の周壁部５の内側に重合してケース本体１に厚み方向の保形性を付与する使用位置Ｒと、図７中想像線で示すように、前記面状被覆部４の内側に重合してケース本体１を厚み方向に折り畳み可能な状態とする退避位置Ｔとの間で前記一端７ａ側或いは他端７ｂ側を中心にして回転可能なものである。この補助保形部７は、具体的には、図６に示すように、一対の表装シート材ｘ間に、保形性及び緩衝性を有するクッション材ｚを配置しているものである。なお、表装シート材ｘ及びクッション材ｚは、前述した面状被覆部４や第１、第２の周壁部５、６に使用されているものと同じものである。
【００２９】
保形ベース２は、ケース本体１に対して着脱可能なものであり、図２、図５及び図６に示すように、使用状態Ｐにおいてケース本体１の第２の周壁部６の内側に重合して位置し前記ケース本体１に厚み方向の保形性を付与する。この保形ベース２は、図５に示すように、第２の周壁部６の平面視形状に略対応した平面視略矩形状のもので、一対の表装シート材ｘ間に、硬質シート材ｙ及びクッション材ｚを配置しており、使用時に、その位置関係が、クッション材ｚが硬質シート材ｙに対して内側となるようにしている。なお、この表装シート材ｘ、硬質シート材ｙ及びクッション材ｚは、前述した面状被覆部４や第１、第２の周壁部５、６に使用されているものと同じものである。そして、この保形ベース２は、図８に示すように、一方の長辺２ａ側に連続して形成した可撓変形可能な変形領域２１を介して、前記収納用仕切３を連続して有しており、この変形領域２１の可撓変形性を利用して、図２及び図５に示すように、前記収納用仕切３を前記保形ベース２に対して垂直に起立して前記収納空間Ｓを厚み方向に仕切るとともに前記保形ベース２に対する起立位置を任意に変更し得るようにしている。
【００３０】
変形領域２１は、図５に示すように、前記保形ベース２を形成している可撓変形可能な一対の表装シート材ｘを延長して構成されている。
【００３１】
収納用仕切３は、図５に示すように、前記保形ベース２及び変形領域２１を形成している一対の表装シート材ｘを延長して構成されている表装シート材ｘと、これら一対の表装シート材ｘ間に配置した硬質シート材ｙと、硬質シート材ｙの両側に配置したクッション材ｚにより構成されている。この収納用仕切３は、使用時には、保形ベース２の上面に重合するように折り返した変形領域２１を介して、保形ベース２に対して垂直に起立するように配置される。なお、硬質シート材ｙ及びクッション材ｚは、前述した面状被覆部４や第１、第２の周壁部５、６、保形ベース２に使用されているものと同じものである。
【００３２】
このような構成のものにおいて、収納ケースＡを使用する際には、図２及び図４に示すように、補助保形部７をケース本体１の第１の周壁部５と重合する使用位置Ｒへと移動させた後、保形ベース２を第２の周壁部６と重合する位置に配置すれば、ケース本体１に厚み方向の保形性が付与され、ケース本体１は略箱型となる。そして、一方の面状被覆部４と収納用仕切３間に情報処理装置Ｂを収納する。このとき、図９に示すように、変形領域２１の可撓変形性を利用し、変形領域２１を撓ませたり張ったりして、情報処理装置Ｂの厚みに合わせて保形ベース２に対する収納用仕切３の起立位置を変更することが可能である。このように、情報処理装置Ｂの厚み寸法に合わせて仕切位置を任意に変更することができるため、収納空間Ｓを効率よく利用することができる上、情報処理装置Ｂの収まりを良好にして、携帯時における安定性を向上させることもできる。そして、他方の面状被覆部４と収納用仕切３間に、周辺付属品Ｄや備品Ｅ等を収納するようにすれば、情報処理装置Ｂとこれに付帯して使用される周辺付属品Ｄや備品Ｅ一式を全てひとまとめにして一体的に移動させることができるだけでなく、図１０に示すように、キャビネットＣの棚ｃ１等にファイルボックス的に収納して保管することが可能となる。なお、前記把手９は、移動時や、ケース本体１をキャビネットＣに対する出し入れを行う際に有効利用できるものである。そして、このキャビネットＣの扉ｃ２にロックを掛ければ、盗難防止対策も簡単に施すことが可能となる。
【００３３】
一方、不使用時や、生産工程、流通時等、収納スペースを削減したい場合には、ケース本体１から保形ベース２を取り外し、図７に示すように、補助保形部７を第１の周壁部５と重合する使用位置Ｒから面状被覆部４に重合する退避位置Ｔへと移動させればよい。このようにすると、ケース本体１に保形性を付与するものが存在しなくなる。そして、第１、第２の周壁部５、６が可撓変形可能なものなので、図３及び図１１に示すように、面状被覆部４同士が略重合する位置までケース本体１を厚み方向に圧縮して折り畳むことが可能となる。
【００３４】
このような構成のものであると、使用時には、情報処理装置Ｂの取扱いを周辺付属品Ｄや備品Ｅ等と共にひとまとめにして一体的に行うことができ、オフィス内での情報処理装置の移動、保管の便を飛躍的に向上させることができる。一方、不使用時や、生産過程、流通時等には、ケース本体を厚み方向に圧縮して折り畳めば、収納ケースの収容スペースを削減し、生産、流通コストの削減や、オフィス内での無駄な収容スペースの削減を図ることができる。さらに、保形ベース２が、前記情報処理装置Ｂの厚み寸法に合わせて仕切位置を任意に変更し得る収納用仕切３を一体的に有しているので、部品点数の削減を図り得ることは勿論、ケース本体１内の収納空間Ｓを効率よく利用することができる上、情報処理装置Ｂの収まりを良好にして、携帯時における安定性を向上させることができる。
【００３５】
また、この収納ケースＡは、可撓性を有する布等の素材により構成されているいわゆるソフトケースであるため、従来のハードケースのものに比べて、移動時の衝撃等からも情報処理装置Ｂを好適に保護することができる。そして、ケース本体１の底壁である第２の周壁部６に位置する保形ベース２と収納用仕切３が一体的に連続しているので、使用時、ケース本体１内に情報処理装置Ｂ等を収納すると、保形ベース２が、前記情報処理装置Ｂ等に押さえられるため、該保形ベース２と一体的に設けた収納用仕切３の上動や抜出が防止される。この収納用仕切３の上動及び抜出が禁止されることにより、収納用仕切３を介して区切られた各収納空間を周辺付属品Ｄや備品Ｅ等が移動する等の不具合も有効に防止することができる。
【００３６】
また、選択的にケース本体１の第１の周壁部５と重合してケース本体１に厚み方向の保形性を付与する補助保形部７を具備してなり、この補助保形部７が、前記第１の周壁部５と重合して位置する使用位置Ｒと、前記面状被覆部４の内側に重合して位置し前記ケース本体１を厚み方向に折り畳むことを可能にする退避位置Ｔとをとるものであるので、ケース本体１の底壁である第２の周壁部６だけでなく側壁である第１の周壁部５にも保形性が付与されることとなり、使用時のケース本体１の使い勝手を良好なものとすることができる。加えて、補助保形部７が、クッション材ｚを備えているので、外部から衝撃等が加わっても、その衝撃が情報処理装置Ｂに伝達されるのを有効に分散し、緩和することができる。
【００３７】
収納用仕切３が、可撓変形可能な変形領域２１を有するものであり、この変形領域２１の可撓変形性を利用して、保形ベース２に対して垂直に起立した起立位置を取り得るとともに前記保形ベース２に対する起立位置を任意に変更し得るものであるので、簡単な構成で、収納用仕切３を保形ベース２と一体的に形成した上で、その起立位置を変更可能なものとすることが可能となる。
【００３８】
保形ベース２が、情報処理装置Ｂを保護する硬質シート材ｙと、この硬質シート材ｙよりも情報処理装置Ｂ側に設けたクッション材ｚとを具備しているので、保形性を有するように構成できることは勿論、外部からの衝撃等から情報処理装置Ｂを好適に保護することができる。すなわち、外部から衝撃等が加わっても、その衝撃を硬質シート材ｙで遮断し、情報処理装置Ｂに直接作用させないようにすることができ、さらに、硬質シート材ｙよりも情報処理装置Ｂ側にクッション材ｚを設けているので、外側から集中応力等が作用しても、その力が情報処理装置Ｂに伝達されるのを有効に分散し、緩和することができる。
【００３９】
収納用仕切３が、情報処理装置Ｂを保護する硬質シート材ｙと、少なくとも硬質シート材ｙよりも情報処理装置Ｂ側に設けたクッション材ｚとを具備しているので、移動時に、収納空間Ｓ内に収納した周辺付属品Ｄや備品Ｅ等が収納用仕切３にぶつかることにより生じる衝撃を硬質シート材ｙで遮断し、情報処理装置Ｂに直接作用させないようにすることができ、さらに、硬質シート材ｙよりも情報処理装置Ｂ側にクッション材ｚを設けているので、集中応力等が作用しても、その力が情報処理装置Ｂに伝達されるのを有効に分散し、緩和することができる。
【００４０】
面状被覆部４が、情報処理装置Ｂを保護する硬質シート材ｙと、この硬質シート材ｙよりも情報処理装置Ｂ側に設けたクッション材ｚとを具備しているので、外部から衝撃等が加わっても、その衝撃を硬質シート材ｙで遮断し、情報処理装置Ｂに直接作用させないようにすることができ、さらに、硬質シート材ｙよりも情報処理装置Ｂ側にクッション材ｚを設けているので、外側から集中応力等が作用しても、その力が情報処理装置Ｂに伝達されるのを有効に分散し、緩和することができる。
【００４１】
なお、各部の具体的な構成は、上述した実施例に限定されるものではない。例えば、本実施例の保形ベース２は、ケース本体１に対して着脱可能なものであったが、折り畳み時に良好に退避できるような構成であれば、ケース本体１と一体に形成してもよい。また、ケース本体１の大きさは、上述した実施例に限定されない。また、上述した実施例では、収納用仕切３が、保形ベース２の一方の長辺側に変形領域２１を介して連続的に形成され、ケース本体１の収納空間Ｓを厚み方向に仕切るものであったが、これに限定されず、収納用仕切が、保形ベースの一方の短辺側に変形領域を介して連続的に形成され、ケース本体の収納空間を巾方向に仕切るものであってもよい。また、上述した実施例では、変形領域２１を最大限張った状態で、収納用仕切３が収納空間Ｓを約１：２程度に分割するように変形領域２１の寸法を設定しているが、これに限定されないのは勿論である。さらに、本実施例では、保形ベース２、収納用仕切３、面状被覆部４が、硬質シート材ｙと、クッション材ｚとを具備しているものであったが、情報処理装置Ｂを保護する保護部材はこれに限定されず、例えば、必要に応じて、クッション材ｚだけを備えているようにしてもよい。
【００４２】
その他の構成も、本発明の趣旨を逸脱しない範囲で種々変形が可能である。
【００４３】
【発明の効果】
本発明は、以上説明したような形態で実施され以下に記載されるような効果を奏する。
【００４４】
すなわち、本発明は、可撓性を有する素材により構成され、厚み方向に折り畳み可能なケース本体と、選択的にケース本体に厚み方向の保形性を付与する保形ベース及び補助保形部とを具備しているので、使用時には、ノートブック型の情報処理装置の取扱いを周辺付属品や備品等と共にひとまとめにして一体的に行うことができ、オフィス内での情報処理装置の移動、保管の便を飛躍的に向上させることができる。一方、不使用時や、生産過程、流通時等には、ケース本体を厚み方向に圧縮して折り畳めば、収納ケースの収容スペースを削減し、生産、流通コストの削減や、オフィス内での無駄な収容スペースの削減を図ることができる。さらに、前記情報処理装置の厚み寸法或いは巾寸法に合わせて仕切位置を変更し得る収納用仕切を有しているので、ケース本体内の収納空間を効率よく利用することができる上、情報処理装置の収まりを良好にして、携帯時における安定性を向上させることができる。
【００４５】
また、選択的にケース本体の側壁と重合してケース本体に厚み方向の保形性を付与する補助保形部を具備してなり、この補助保形部が、前記側壁と重合して位置する使用位置と、前記面状被覆部の内側に重合して位置し前記ケース本体を厚み方向に折り畳むことを可能にする退避位置とをとるならば、底壁だけでなく側壁に保形性を付与することによりケース本体の保形性を確実なものとし、収納ケースの使い勝手を良好なものとすることができる。
【００４６】
補助保形部が、クッション材を備えているならば、外部から衝撃等が加わっても、その衝撃が情報処理装置に伝達されるのを有効に分散し、緩和することができる。
【００４７】
収納用仕切が、可撓変形可能な変形領域を有するものであり、前記変形領域の可撓変形性を利用して、保形ベースに対して垂直に起立した起立位置を取り得るとともに前記保形ベースに対する起立位置を変更し得るものならば、その仕切位置を変更可能なものとすることが可能となる。
【００４８】
保形ベースが、情報処理装置を保護する硬質シート材と、この硬質シート材よりも情報処理装置側に設けたクッション材とを具備しているならば、保形性を有するように構成できることは勿論、外部からの衝撃等から情報処理装置を好適に保護することができる。すなわち、外部から衝撃等が加わっても、その衝撃を硬質シート材で遮断し、情報処理装置に直接作用させないようにすることができ、さらに、硬質シート材よりも情報処理装置側にクッション材を設けているので、外側から集中応力等が作用しても、その力が情報処理装置に伝達されるのを有効に分散し、緩和することができる。
【００４９】
収納用仕切が、情報処理装置を保護する硬質シート材と、少なくとも前記硬質シート材よりも情報処理装置側に設けたクッション材とを具備しているならば、移動時に、収納空間内に収納した周辺付属品や備品等が収納用仕切にぶつかることにより生じる衝撃を硬質シート材で遮断し、情報処理装置に直接作用させないようにすることができ、さらに、硬質シート材よりも情報処理装置側にクッション材を設けているので、集中応力等が作用しても、その力が情報処理装置に伝達されるのを有効に分散し、緩和することができる。
【００５０】
面状被覆部が、情報処理装置を保護する硬質シート材と、この硬質シート材よりも情報処理装置側に設けたクッション材とを具備しているならば、外部から衝撃等が加わっても、その衝撃を硬質シート材で遮断し、情報処理装置に直接作用させないようにすることができ、さらに、硬質シート材よりも情報処理装置側にクッション材を設けているので、外側から集中応力等が作用しても、その力が情報処理装置に伝達されるのを有効に分散し、緩和することができる。
【図面の簡単な説明】
【図１】本発明の一実施例において使用状態にある収納ケースを示す全体斜視図。
【図２】同全体斜視図。
【図３】同折畳状態にある収納ケースを示す全体斜視図。
【図４】同使用状態にある収納ケースを示す平面図。
【図５】同図４に対応するＩ−Ｉ線断面図。
【図６】同図４に対応するＩＩ−ＩＩ線断面図。
【図７】同作用説明図。
【図８】同保形ベース及び収納用仕切を示す斜視図。
【図９】同作用説明図。
【図１０】同収納ケースの一使用例を示す斜視図。
【図１１】同作用説明図。
【符号の説明】
１…ケース本体
２…保形ベース
２１…変形領域
３…収納用仕切
４…面状被覆部
５…側壁（第１の周壁部）
６…底壁（第２の周壁部）
７…補助保形部
Ａ…情報処理装置用収納ケース
Ｂ…情報処理装置
Ｐ…使用状態
Ｑ…折畳状態
Ｒ…使用位置
Ｓ…収納空間
Ｔ…退避位置
ｙ…硬質シート材
ｚ…クッション材
【図１】
0003852391.tif 000002
【図２】
0003852391.tif 000003
【図３】
0003852391.tif 000004
【図４】
0003852391.tif 000005
【図５】
0003852391.tif 000006
【図６】
0003852391.tif 000007
【図７】
0003852391.tif 000008
【図８】
0003852391.tif 000009
【図９】
0003852391.tif 000010
【図１０】
0003852391.tif 000011
【図１１】
0003852391.tif 000012